(57)【要約】【課題】受光素子のセンサ領域を有効活用すること。【解決手段】本開示に係る撮像装置は、遮光壁と前記遮光壁間の複数の開口部に形成された複数の透光部を有する遮光体と、前記遮光体の前記透光部を介して入力された入射光に応じて光電変換を行う多数の受光素子が配列され、隣接する前記透光部毎に異なる光学素子を通過した画像情報を取得する受光素子層と、を備える。この構成により、隣接する透光部毎に異なる光学素子を通過した画像情報が取得されるため、受光素子のセンサ領域を有効活用すること。【選択図】図６
2018019020.tif 000002
【特許請求の範囲】
【請求項１】
遮光壁と前記遮光壁間の複数の開口部に形成された複数の透光部を有する遮光体と、
前記遮光体の前記透光部を介して入力された入射光に応じて光電変換を行う多数の受光素子が配列され、隣接する前記透光部毎に異なる光学素子を通過した画像情報を取得する受光素子層と、
を備える、撮像装置。
【請求項２】
前記光学素子は、前記遮光体の光の入射面側に前記透光部毎に設けられているマイクロレンズであり、
前記受光素子層は、前記マイクロレンズにより集光されて前記透光部を介して入力された入射光に応じて光電変換を行う前記受光素子を備える、請求項１に記載の撮像装置。
【請求項３】
隣接する前記透光部に対応する前記マイクロレンズは、入射光の波長に応じた異なる形状を有する、請求項２に記載の撮像装置。
【請求項４】
隣接する前記透光部に対応する前記マイクロレンズは、被写体距離に応じた異なる光学倍率を有する、請求項２に記載の撮像装置。
【請求項５】
隣接する前記透光部において、１の前記透光部には前記マイクロレンズの代わりに前記光学素子としてピンホールが設けられる、請求項２に記載の撮像装置。
【請求項６】
前記光学素子は、隣接する前記透光部に設けられ、隣接する前記透光部毎に入射光の波長が異なるように波長を変換する波長変換フィルタである、請求項１に記載の撮像装置。
【請求項７】
前記遮光体の光の入射面側に形成され、前記遮光体の前記開口部毎に開口部を有する第１の遮光層を備え、
前記波長変換フィルタは、前記第１の遮光層の近傍に設けられた、請求項６に記載の撮像装置。
【請求項８】
前記遮光体の受光素子層側に形成され、前記遮光体の前記開口部毎に開口部を有する第２の遮光層を備え、
前記波長変換フィルタは、前記第２の遮光層の近傍に設けられた、請求項６に記載の撮像装置。
【請求項９】
前記波長変換フィルタは、前記受光素子層の表面に設けられた、請求項６に記載の撮像装置。
【請求項１０】
前記光学素子は、隣接する前記透光部に設けられ、隣接する前記透光部毎に入射光の偏光方向が異なるように偏光方向を制御する偏光子である、請求項１に記載の撮像装置。
【請求項１１】
前記遮光体の光の入射面側に形成され、前記遮光体の前記開口部毎に開口部を有する第１の遮光層を備え、
前記偏光子は、前記第１の遮光層の近傍に設けられた、請求項１０に記載の撮像装置。
【発明の詳細な説明】
【技術分野】
【０００１】
本開示は、撮像装置に関する。
【背景技術】
【０００２】
従来、例えばイメージセンサにおけるレンズ下方のクロストーク防止する構造として、下記の特許文献１に記載された技術が公知である。特許文献１には、複数の受光部をもつ光電変換素子と、該受光部ごとに形成されたマイクロレンズとからなるイメージセンサにおいて、前記光電変換素子と前記マイクロレンズとで挟まれた領域に、前記受光部ごとに光の入射方向を制限する遮光壁が、前記光電変換素子上に一体的に形成された構成が記載されている。
【先行技術文献】
【特許文献】
【０００３】
【特許文献１】特開２００１−２２３８４６号公報
【発明の概要】
【発明が解決しようとする課題】
【０００４】
しかし、上記特許文献に記載された技術では、隣接するマイクロレンズによって撮像される被写体領域には重複が生じる場合がある。このため、光電変換素子のセンサ面積を有効に活用できない問題が生じる。
【０００５】
そこで、受光素子層のセンサ領域を有効活用することが求められていた。
【課題を解決するための手段】
【０００６】
本開示によれば、遮光壁と前記遮光壁間の複数の開口部に形成された複数の透光部を有する遮光体と、前記遮光体の前記透光部を介して入力された入射光に応じて光電変換を行う多数の受光素子が配列され、隣接する前記透光部の領域毎に異なる種類の画像情報を取得する受光素子層と、を備える、撮像装置が提供される。
【発明の効果】
【０００７】
以上説明したように本開示によれば、受光素子のセンサ領域を有効活用することが求められていた。
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【０００８】
【図１】本開示の一実施形態に係る撮像装置の前提となる構成を示す概略断面図である。
【図２】図１の上方から撮像装置を見た状態を示す模式図である。
【図３】マイクロレンズの配置を示す模式図である。
【図４】上辺遮光層の開口部（円形部分）の配置を示す模式図である。
【図５】下辺遮光層の開口部（矩形部分）の配置を示す模式図である。
【図６】本開示の一実施形態に係る撮像装置の構成を示す概略断面図である。
【図７】本開示の一実施形態に係る撮像装置の構成を示す概略断面図である。
【図８】図６及び図７の上方から撮像装置を見た状態を示す模式図である。
【図９】上辺遮光層の開口部（円形部分）の配置を示す模式図である。
【図１０】下辺遮光層の開口部（矩形部分）の配置を示す模式図である。
【図１１】図１の構成に対して、遮光体の開口部（透光部）の配置間隔を単純に狭くした例を示す概略断面図である。
【図１２】図６に示す本実施形態の構成において、それぞれのマイクロレンズで別の画像が取得される様子を示す模式図である。
【図１３】光学倍率の異なるマイクロレンズを交互に配置した例を示す概略断面図である。
【図１４】マイクロレンズの下部に異なる偏光子を追加した例を示す模式図である。
【図１５】マイクロレンズの下部に異なる偏光子を追加した例を示す模式図である。
【図１６】マイクロレンズの下に波長選択フィルタを設けた例を示す概略断面図である。
【図１７】下辺遮光層と同じ深さ位置に波長選択フィルタを設けた例を示す概略断面図である。
【図１８】受光素子層の上に波長選択フィルタを設けた例を示す概略断面図である。
【図１９】波長選択フィルタの具体的な特性を示す模式図である。
【発明を実施するための形態】
【０００９】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１０】
なお、説明は以下の順序で行うものとする。
１．前提となる構成例
２．本開示に係る撮像装置の構成例
【００１１】
１．前提となる構成例
図１は、本開示の一実施形態に係る撮像装置の前提となる構成を示す概略断面図である。この撮像装置１００は、後述する本実施形態に係る撮像装置２００と同様、例えば指紋などの生体情報を撮像するために用いられる。撮像装置１００は、受光素子層１１０、遮光体１２０、薄膜接合樹脂層１３０、下辺遮光層１２５、上辺遮光層１２６、カバーガラス１２７を有して構成されている。
【００１２】
撮像装置１００は、受光素子層１１０と遮光体１２０が薄膜接合樹脂層１３０により接合されて形成される。受光素子層１１０と遮光体１２０を薄膜接合樹脂層１３０により隙間なく接合することにより、その隙間に起こり得た結露を防止することができ、得られる画像の劣化を抑止することができる。
【００１３】
受光素子層１１０は、縦横に配置された多数の受光素子から成る。薄膜接合樹脂層１３０は、透明材から成り、受光素子層１１０と遮光体１２０を隙間なく接合するために配置される。
【００１４】
遮光体１２０は、Ｓｉなどの遮光材から成る遮光壁１２２と、ガラスまたは樹脂などの透明材から成る透光部１２４から構成される。遮光壁１２２は、遮光材に対してリソグラフィとドライエッチングなどの加工によって貫通孔を開口することにより形成される。透光部１２４は、遮光壁１２２の間（すなわち、貫通孔）に透明材が充填されることにより形成される。
【００１５】
すなわち、遮光体１２０は、遮光壁１２２によって囲まれている開口部が透光部１２４とされ、上辺側（光の入射面側）から入射される光を下辺側（受光素子側）に透過させるように形成されている。
【００１６】
遮光体１２０の下辺側には、ＢＬＫ  ＣＦ（黒色カラーフィルタ）やＴｉ，Ｗなどの遮光材から成り、遮光体１２０の各開口部（遮光壁１２２によって囲まれている透光部１２４）よりも狭い矩形の開口部を有する下辺遮光層１２５が形成されている。
【００１７】
一方、遮光体１２０の上辺側には、ＢＬＫ
ＣＦやＴｉ，Ｗなどの遮光材から成り、遮光体１２０の各開口部（遮光壁１２２によって囲まれている透光部１２４）よりも狭い円形の開口部を有する上辺遮光層１２６が形成されている。上辺遮光層１２６の円形の開口部には、マイクロレンズ１２８が形成されている。また、マイクロレンズ１２８よりも被写体側にはカバーガラス１２７が配置されている。
【００１８】
被写体からの光は、マイクロレンズ１２８、上辺遮光層１２６、透光部１２４、下辺遮光層１２５を通過し、最終的に図５に示す下辺遮光層１２５の開口に対応する矩形（正方形）の光として受光素子層１１０に入射する。
【００１９】
生体情報として例えば指紋の情報を取得する際には、ユーザの指がカバーガラス１２７の上に置かれ、横からＬＥＤ等により照明を当てる。これにより、光が指の中で散乱し、この内部散乱光を撮像装置１００に入射させて撮像することで、指紋、静脈などの情報を取得することができる。
【００２０】
図２は、図１の上方から撮像装置１００を見た状態を示す模式図である。図２では、上辺遮光層１２６の図示は省略している。また、図３〜図５は、図２の上方から撮像装置２００を見た場合のマイクロレンズ１２８、上辺遮光層１２６、下辺遮光層１２５を示す模式図である。ここで、図３は、マイクロレンズ１２８の配置を示しており、図４は、上辺遮光層１２６の開口部（円形部分）の配置を示しており、図５は下辺遮光層１２５の開口部（矩形部分）の配置を示している。
【００２１】
図１〜図５に示した構成において、受光素子層１１０の光電変換領域（画素領域）のうち遮光体１２０の各開口部下に配置される部分は光電変換に寄与して有効に活用される。一方、遮光体１２０の非開口部下に配置される受光素子層１００の領域は、入射光が遮蔽されるため光電変換に寄与しない無効領域となる。このため、受光素子層１１０の画素領域の面積に対する光電変換に寄与する面積の比率をセンサ面積効率とすると、図１〜図５に示す構成例では、センサ面積効率が低くなる。このため、撮像装置１００として所望の性能・機能を得るためにはセンサ面積を拡げる必要があり、コストアップ要因となる。
【００２２】
２．本開示に係る撮像装置の構成例
本実施形態では、図１〜図５に示す構成では遮光体１２０の非開口部となっている部分にも遮光体１２０の開口部を設け、センサ面積効率を向上させる。図６及び図７は、本開示の一実施形態に係る撮像装置２００の構成を示す概略断面図である。また、図８は、図６及び図７の上方から撮像装置１００を見た状態を示す模式図である。図８では、上辺遮光層１２６の図示は省略している。また、図９、図１０は、図６及び図７の上方から撮像装置２００を見た場合の上辺遮光層１２６、下辺遮光層１２５を示す模式図である。ここで、図８は、マイクロレンズ１２８及び透光部１２４の配置を示しており、図９は、上辺遮光層１２６の開口部（円形部分）の配置を示しており、図１０は下辺遮光層１２５の開口部（矩形部分）の配置を示している。
【００２３】
また、図６は、図８に示す一点鎖線Ｉ−Ｉ’に沿った断面を示しており、図７は、図８に示す一点鎖線ＩＩ−ＩＩ’に沿った断面を示している。
【００２４】
図６〜図１０に示すように、本実施形態に係る撮像装置２００では、図１〜図５の構成では遮光体１２０の開口部（透光部１２４）が設けられていない領域にも遮光体１２０の開口部（透光部１２４）を設けている。ここで、図８〜図１０は、図２〜図５と同じ面積の領域を示している。図２と図８を比較すると明らかなように、図２ではマイクロレンズ１２８及び透光部１２４が９個設けられているのに対し、図８では、図２と同じ面積にマイクロレンズ１２８及び透光部１２４が３６個設けられている。図１〜図５の構成における遮光体開口部と非開口部の比（長さ方向）が１：１であれば、本実施形態の構造のセンサ面積効率は最大４倍近くまで高めることができ、図１〜図５の構成で同じ機能を実現する場合に比べ、コストを１／４近くに抑制することができる。なお、図２においてマイクロレンズ１２８及び透光部１２４の数を更に増やすことで、センサ面積効率を更に高めることが可能である。また、センサ面積効率が４倍程度まで上昇すれば、同じ情報量を取得するためには、受光素子層１１０の面積を１／４程度まで縮小できるため、製造コストを大幅に低減することも可能である。
【００２５】
図６〜図１０に示す本実施形態の撮像装置２００では、異なる機能を持つレンズ等の光学素子を交互に配置し、それぞれ異なる画像情報を取得する構造としている。具体的には、図６〜図８に示すように、緑波長用のマイクロレンズ１２８ａ、赤波長用のマイクロレンズ１２８ｂ、青波長用のマイクロレンズ１２８ｃ、及びピンホール１２９が交互に配置される。このように、本実施形態では、波長ごとに形状や材質等を最適化したマイクロレンズ１２８ａ，１２８ｂ，１２８ｃと、モノクロ用のピンホール１２９を交互に配置する。これにより、物体側の撮像領域は変わらないが、レンズ前方のクロストークの影響なく得られる情報量を飛躍的（この図の列だけで２倍）に増やすことができる。
【００２６】
生体情報を取得する際には、測定対象に応じて照射する光の波長を変えることが望ましい。例えば、指紋や脈拍を測定する場合には、緑波長（５７０ｎｍ程度）を用いる。また、透明度、脈拍、メラニンを測定する場合には、赤波長（６６０ｎｍ程度）を用いる。また、皮下脂肪厚、静脈、メラニンを測定する場合には、近赤外波長（９４０）を用いる。光は波長に応じて屈折の度合いが変わるため、波長に応じてマイクロレンズ１２８ａ，１２８ｂ，１２８ｃのレンズ形状を最適化することで、それぞれの波長に合った設計のマイクロレンズ１２８ａ，１２８ｂ，１２８ｃを介して入射光を取得することができる。そして、光の波長に応じたマイクロレンズ１２８ａ，１２８ｂ，１２８ｃを用いることで、被写体から得られる情報量を大幅に増大することが可能である。また、ピンホール１２９を介して光を入射させることで、被写体の輝度情報を直接取得することが可能となる。
【００２７】
図１１は、図１の構成に対して、遮光体１２０の開口部（透光部１２４）の配置間隔、すなわち、マイクロレンズ１２８の配置間隔を単純に狭くした例を示す概略断面図である。図１１に示すように、単純に遮光体１２０の開口部（透光部１２４）の配置間隔を狭くした場合、受光素子層１１０の画素領域を有効に活用できるように見えるが、実際には物体側の撮像領域は変わらないため、受光素子層１１０で得られる情報量に大きな変化はない。図１１に示す領域Ａでは、隣接するマイクロレンズ１２８の撮像領域が重なるため、同じ情報を余分に取得することになり、透光部１２４の配置間隔を狭くしても情報量を増やすことはできない。むしろ、図１１に示す構成では、各開口部への入射光にはレンズ前方（上方）のクロストークが生じ、得られた情報の信号処理に大きな負荷がかかるため、コストアップ要因となる。
【００２８】
従って、図１〜図５に示した構成例のように、遮光体１２０の開口部（透光部１２４）は、隣接するマイクロレンズ１２８の撮像領域が重ならないように、所定の間隔を空けて配置される。このため、遮光体１２０の開口部が設けられていない領域では、下層の受光素子層１００が利用されないため、センサ面積効率が低下してしまう。
【００２９】
一方、本実施形態では、図１〜図５に示した構成例で既に設けられている透光部１２４の周囲に新たな透光部１２４を設け、各透光部１２４に異なる機能を持たせることで、各透光部１２４に対応する受光素子層１１０の各領域が異なる画像データを取得する。従って、図１〜図５の構成例では使用されていなかった受光素子層１１０の領域を有効活用することができ、センサ面積効率を大幅に向上することが可能である。
【００３０】
図１２は、図６に示す本実施形態の構成において、マイクロレンズ１２８ａとマイクロレンズ１２８ｂのそれぞれで別の画像が取得される様子を示す模式図である。図１２に示すように、緑波長用のマイクロレンズ１２８ａと赤波長用のマイクロレンズ１２８ｂとを交互に配置することで、マイクロレンズ１２８ａとマイクロレンズ１２８ｂのそれぞれで別の画像を取得することができる。これにより、得られる情報が増えると共に、受光素子層１１０の画素領域を有効に活用することが可能となる。
【００３１】
図１３は、光学倍率の異なるマイクロレンズ１２８ｄ，１２８ｅを交互に配置した例を示す概略断面図である。光学倍率の異なるマイクロレンズ１２８ｄ，１２８ｅは、平面的には千鳥状に配置される。図１３に示す構成によれば、異なる被写体距離（ピント位置）の被写体に対し、同じ撮像領域と解像度を持つ画像を取得することができる。図１３に示す構成例は、物体距離（深さ）方向が異なる複数の画像情報の取得に有用である。例えば指の生体情報を取得する場合、指紋や汗腺は皮膚の表面にある一方、静脈は皮膚の表面から数ｍｍ程度深い位置にある。図１３に示す構成例によれば、これらの深さの異なる生体情報を同時に取得することが可能である。一方、図１〜図５に示す構成例では、光学倍率が等しいマイクロレンズ１２８を複数設けているため、例えば指の指紋にピントを合わせた場合は、静脈は合焦位置から外れるため、静脈の情報を取得することはできない。このように、本実施形態によれば、各透光部１２４のマイクロレンズ１２８ｄ，１２８ｅの光学倍率を異ならせることで、各透光部１２４に対応する受光素子層１１０の各領域が異なる画像データを取得することができ、センサ面積効率を大幅に向上することが可能である。
【００３２】
以上説明した例では、マイクロレンズ１２８の特性を変えることで各透光部１２４に対応する受光素子層１１０の各領域が異なる画像データを取得するようにした。一方、マイクロレンズ１２８と受光素子層１１０の間に素子を設けることで、各透光部１２４に対応する受光素子層１１０の各領域が異なる画像データを取得するようにしても良い。
【００３３】
図１４及び図１５は、マイクロレンズ１２８の下部に異なる偏光子１３２ａ，１３２ｂを追加し、偏光子１３２ａ，１３２ｂを交互に配置した例を示す模式図である。図１５は、図１４の上方から見た状態を示す模式図であって、偏光子１３２ａ，１３２ｂの配置を示す模式図である。図１４は、図１５に示す一点鎖線ＩＩＩ−ＩＩＩ’に沿った断面に対応している。
【００３４】
図１５に示すように、一点鎖線ＩＩＩ−ＩＩＩ’に沿った行と、その２行上、２行下の行では、水平方向の偏光子１３２ａと垂直方向の偏光子１３２ｂとが交互に配置されている。偏光子１３２ａ，１３２ｂは、各透光部１２４に対応する位置に配置される。また、一点鎖線ＩＩＩ−ＩＩＩ’に沿った行と、その１行上、１行下の行では、λ／４板１３４と偏光子を有していない開口部１３６が交互に配置されている。λ／４板１３４と開口部１３６も、各透光部１２４に対応する位置に配置される。λ／４板１３４（四分の一波長板）は、偏光子の一種であり、入射光が直線偏光だった場合は円偏光（楕円偏光）に変換し、また逆に入射光が円偏光（楕円偏光）だった場合は直線偏光に変換する機能を有している。
【００３５】
従って、偏光子１３２ａ，偏光子１３２ｂ、λ／４板１３４が設けられた領域では、偏光子１３２ａ，偏光子１３２ｂ、λ／４板１３４に応じた偏光を受光素子層１１０が取得することができる。従って、図１５に示す構成においても、隣接する各透光部１２４で異なる機能を持たせることができる。
【００３６】
また、図１６〜図１８は、各透光部１２４に対応して波長選択フィルタ１４０を設けた構成例を示す概略断面図である。波長選択フィルタ１４０は、一例として、顔料もしくは染料の少なくとも一つを含む有機材料、もしくは、無機膜の積層から構成される。ここで、図１６は、マイクロレンズ１２８の下に波長選択フィルタを設けた例を示す概略断面図である。また、図１７は、下辺遮光層１２５と同じ深さ位置に波長選択フィルタ１４０を設けた例を示す概略断面図である。また、図１８は、受光素子層１１０の上に波長選択フィルタを設けた例を示す概略断面図である。図１６〜図１８に示すように、一部のマイクロレンズ１２８に、少なくとも１つの波長選択フィルタ１４０を設けることにより、複数のマイクロレンズ１２８から複数の波長データを同時に取得できる。
【００３７】
図１９は、波長選択フィルタ１４０の具体的な特性を示す模式図である。波長選択フィルタは、複数のフィルタ特性ａ〜ｍを組み合わせて構成することができる。図１８に示す波長選択フィルタ１４０の各特性（１）〜（７）は、波長と出力との関係を示している。各特性（１）〜（７）において、ａの特性は、波長選択フィルタ１４０を用いない場合の、波長と出力の関係を示している。また、フィルタ特性ｂ〜ｍのそれぞれでは、波長と出力の関係が異なっている。フィルタ特性ａ〜ｍを組み合わせることで、波長選択フィルタの各特性（１）〜（７）を得ることができる。例えば、特性（３）では、フィルタ特性ｂとフィルタ特性ｃを組み合わせることで、領域Ａと領域Ｃに相当する波長のみを透過させる波長選択フィルタ１４０を構成している。また、特性（４）、特性（５）では、フィルタ特性ｄ〜ｆ、特性ｇ〜ｉの組み合わせを適宜変更することで、短波長側から長波長側の領域Ａ〜Ｄを通過又は遮断する任意の波長選択フィルタ１４０を構成することができる。このように、特性の異なる波長選択フィルタ１４０をマイクロレンズ１２８が配置された各透光部１２４に配置することで、隣接する各透光部１２４で異なる機能を持たせることができる。
【００３８】
以上のように、本実施形態では、隣接する透光部１２４毎に異なる光学素子を通過した画像情報が、受光素子層１１０において取得される。ここで、上述したマイクロレンズ１２８ａ〜１２８ｆ、ピンホール１２９、偏光子１３２ａ，１３２ｂ、波長選択フィルタ１４０が光学素子に相当する。
【００３９】
これにより、本実施形態によれば、受光素子層１１０の各透光部１２４に対応する領域からより多くの情報を得ることができる。そして、マイクロレンズ１２８の下方にクロストーク防止のために配置する遮光体１２０の非開口部を極力削減することにより、センサ面積効率を大幅に向上させることが可能となる。また、異なる機能を持つレンズ等の光学部品を隣接する透光部１２４毎に交互に配置し、それぞれ異なる画像情報を取得する構造とすることで。レンズ前方のクロストークの影響なく得られる情報量を飛躍的に増やすことが可能となる。
【００４０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００４１】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００４２】
なお、以下のような構成も本開示の技術的範囲に属する。
（１）  遮光壁と前記遮光壁間の複数の開口部に形成された複数の透光部を有する遮光体と、
前記遮光体の前記透光部を介して入力された入射光に応じて光電変換を行う多数の受光素子が配列され、隣接する前記透光部毎に異なる光学素子を通過した画像情報を取得する受光素子層と、
を備える、撮像装置。
（２）  前記光学素子は、前記遮光体の光の入射面側に前記透光部毎に設けられているマイクロレンズであり、
前記受光素子層は、前記マイクロレンズにより集光されて前記透光部を介して入力された入射光に応じて光電変換を行う前記受光素子を備える、前記（１）に記載の撮像装置。
（３）  隣接する前記透光部に対応する前記マイクロレンズは、入射光の波長に応じた異なる形状を有する、前記（２）に記載の撮像装置。
（４）  隣接する前記透光部に対応する前記マイクロレンズは、被写体距離に応じた異なる光学倍率を有する、前記（２）に記載の撮像装置。
（５）  隣接する前記透光部において、１の前記透光部には前記マイクロレンズの代わりに前記光学素子としてピンホールが設けられる、前記（２）に記載の撮像装置。
（６）  前記光学素子は、隣接する前記透光部に設けられ、隣接する前記透光部毎に入射光の波長が異なるように波長を変換する波長変換フィルタである、前記（１）に記載の撮像装置。
（７）  前記遮光体の光の入射面側に形成され、前記遮光体の前記開口部毎に開口部を有する第１の遮光層を備え、
前記波長変換フィルタは、前記第１の遮光層の近傍に設けられた、前記（６）に記載の撮像装置。
（８）  前記遮光体の受光素子層側に形成され、前記遮光体の前記開口部毎に開口部を有する第２の遮光層を備え、
前記波長変換フィルタは、前記第２の遮光層の近傍に設けられた、前記（６）に記載の撮像装置。
（９）  前記波長変換フィルタは、前記受光素子層の表面に設けられた、前記（６）に記載の撮像装置。
（１０）  前記光学素子は、隣接する前記透光部に設けられ、隣接する前記透光部毎に入射光の偏光方向が異なるように偏光方向を制御する偏光子である、前記（１）に記載の撮像装置。
（１１）  前記遮光体の光の入射面側に形成され、前記遮光体の前記開口部毎に開口部を有する第１の遮光層を備え、
前記偏光子は、前記第１の遮光層の近傍に設けられた、前記（１０）に記載の撮像装置。
【符号の説明】
【００４３】
１１０    受光素子層
１２０    遮光体
１２２    遮光壁
１２８，１２８ａ〜１２８ｅ    マイクロレンズ
１２９    ピンホール
１３２ａ，１３２ｂ    偏光子
１４０    波長選択フィルタ
２００    撮像装置
【図１】
2018019020.tif 000003
【図２】
2018019020.tif 000004
【図３】
2018019020.tif 000005
【図４】
2018019020.tif 000006
【図５】
2018019020.tif 000007
【図６】
2018019020.tif 000008
【図７】
2018019020.tif 000009
【図８】
2018019020.tif 000010
【図９】
2018019020.tif 000011
【図１０】
2018019020.tif 000012
【図１１】
2018019020.tif 000013
【図１２】
2018019020.tif 000014
【図１３】
2018019020.tif 000015
【図１４】
2018019020.tif 000016
【図１５】
2018019020.tif 000017
【図１６】
2018019020.tif 000018
【図１７】
2018019020.tif 000019
【図１８】
2018019020.tif 000020
【図１９】
2018019020.tif 000021